(57)【要約】【課題】車両によって移動される対象物が正当であるか否かをより精度よく判断することが可能な技術が提供されることが望まれる。【解決手段】携帯端末によって撮像された画像から認識された認識データと前記携帯端末の位置情報とを前記携帯端末から受信した場合に、前記認識データと前記携帯端末の位置情報とを取得する端末情報取得部と、所定の条件が満たされた場合に送信された１または複数の車両それぞれの識別データおよび位置情報を取得する車両情報取得部と、前記認識データに応じた前記識別データを検索する情報管理部と、前記識別データに対応する前記車両の位置情報と前記携帯端末の位置情報とを照合して第１の照合結果を得る照合部と、前記第１の照合結果の前記携帯端末への送信を制御する送信制御部と、を備える、情報処理装置が提供される。【選択図】図１
2018088126.tif 000002
【特許請求の範囲】
【請求項１】
携帯端末によって撮像された画像から認識された認識データと前記携帯端末の位置情報とを前記携帯端末から受信した場合に、前記認識データと前記携帯端末の位置情報とを取得する端末情報取得部と、
所定の条件が満たされた場合に送信された１または複数の車両それぞれの識別データおよび位置情報を取得する車両情報取得部と、
前記認識データに応じた前記識別データを検索する情報管理部と、
前記識別データに対応する前記車両の位置情報と前記携帯端末の位置情報とを照合して第１の照合結果を得る照合部と、
前記第１の照合結果の前記携帯端末への送信を制御する送信制御部と、
を備える、情報処理装置。
【請求項２】
前記車両情報取得部は、定期的に送信された前記１または複数の車両それぞれの前記識別データおよび前記位置情報を取得する、
請求項１に記載の情報処理装置。
【請求項３】
前記車両情報取得部は、所定の送信操作に基づいて送信された前記１または複数の車両それぞれの前記識別データおよび前記位置情報を取得する、
請求項１に記載の情報処理装置。
【請求項４】
前記照合部は、前記車両の位置情報と前記携帯端末の位置情報との差分を算出し、前記差分が所定の閾値を超えるか否かに応じた前記第１の照合結果を得る、
請求項１に記載の情報処理装置。
【請求項５】
前記照合部は、車両ごとにナンバープレート情報と識別データとがあらかじめ対応付けられた対応情報に基づいて、前記認識データに応じた前記識別データを検索する、
請求項１に記載の情報処理装置。
【請求項６】
前記情報処理装置は、
自動取引装置に関連する第１の情報と前記第１の情報に対応する第２の情報を生成する情報生成部を備え、
前記情報管理部は、前記第２の情報の記憶を制御し、
前記送信制御部は、前記第１の情報の前記自動取引装置への送信を制御し、
前記照合部は、前記携帯端末によって読み取られた情報が前記第２の情報に対応するか否かを照合して第２の照合結果を取得し、
前記送信制御部は、前記第２の照合結果の前記携帯端末への送信を制御する、
請求項１に記載の情報処理装置。
【請求項７】
コンピュータを、
携帯端末によって撮像された画像から認識された認識データと前記携帯端末の位置情報とを前記携帯端末から受信した場合に、前記認識データと前記携帯端末の位置情報とを取得する端末情報取得部と、
所定の条件が満たされた場合に送信された１または複数の車両それぞれの識別データおよび位置情報を取得する車両情報取得部と、
前記認識データに応じた前記識別データを検索し、前記識別データに対応する前記車両の位置情報と前記携帯端末の位置情報とを照合して第１の照合結果を得る照合部と、
前記第１の照合結果の前記携帯端末への送信を制御する送信制御部と、
を備える情報処理装置として機能させるためのプログラム。
【発明の詳細な説明】
【技術分野】
【０００１】
本発明は、情報処理装置およびプログラムに関する。
【背景技術】
【０００２】
近年、対象物が正当であるか否かを判断する手法として、様々な手法が開示されている。例えば、携帯端末の位置情報とあらかじめ登録された位置情報とに基づいて、個人または物品の存在を認証する技術が開示されている（例えば、特許文献１参照）。
【０００３】
また、ナンバープレートを含む車両を撮像し、撮像された画像から認識されたナンバーに基づいて、あらかじめ登録された車両の特徴を抽出し、抽出した車両の特徴と撮像された車両の特徴とが相違する場合に、警告を出力する技術が開示されている（例えば、特許文献２参照）。
【先行技術文献】
【特許文献】
【０００４】
【特許文献１】特開２００４−８０７７７号公報
【特許文献２】特開２０１２−８３９９６号公報
【発明の概要】
【発明が解決しようとする課題】
【０００５】
一方、車両によって移動される対象物が存在する。車両によって移動される対象物の例としては、小型移動店舗などが挙げられる。このとき、例えば、悪意ある者がナンバープレートを偽造して、正当な車両と同じ車種の車両にそのナンバープレートを取り付けた場合、車両によって移動される対象物の正当性の判断は一般的に困難である。そこで、車両によって移動される対象物が正当であるか否かをより精度よく判断することが可能な技術が提供されることが望まれる。
【課題を解決するための手段】
【０００６】
上記問題を解決するために、本発明のある観点によれば、携帯端末によって撮像された画像から認識された認識データと前記携帯端末の位置情報とを前記携帯端末から受信した場合に、前記認識データと前記携帯端末の位置情報とを取得する端末情報取得部と、所定の条件が満たされた場合に送信された１または複数の車両それぞれの識別データおよび位置情報を取得する車両情報取得部と、前記認識データに応じた前記識別データを検索する情報管理部と、前記識別データに対応する前記車両の位置情報と前記携帯端末の位置情報とを照合して第１の照合結果を得る照合部と、前記第１の照合結果の前記携帯端末への送信を制御する送信制御部と、を備える、情報処理装置が提供される。
【０００７】
前記車両情報取得部は、定期的に送信された前記１または複数の車両それぞれの前記識別データおよび前記位置情報を取得してもよい。
【０００８】
前記車両情報取得部は、所定の送信操作に基づいて送信された前記１または複数の車両それぞれの前記識別データおよび前記位置情報を取得してもよい。
【０００９】
前記照合部は、前記車両の位置情報と前記携帯端末の位置情報との差分を算出し、前記差分が所定の閾値を超えるか否かに応じた前記第１の照合結果を得てもよい。
【００１０】
前記照合部は、車両ごとにナンバープレート情報と識別データとがあらかじめ対応付けられた対応情報に基づいて、前記認識データに応じた前記識別データを検索してもよい。
【００１１】
前記情報処理装置は、自動取引装置に関連する第１の情報と前記第１の情報に対応する第２の情報を生成する情報生成部を備え、前記情報管理部は、前記第２の情報の記憶を制御し、前記送信制御部は、前記第１の情報の前記自動取引装置への送信を制御し、前記照合部は、前記携帯端末によって読み取られた情報が前記第２の情報に対応するか否かを照合して第２の照合結果を取得し、前記送信制御部は、前記第２の照合結果の前記携帯端末への送信を制御してもよい。
【００１２】
また、本発明の他の観点によれば、コンピュータを、携帯端末によって撮像された画像から認識された認識データと前記携帯端末の位置情報とを前記携帯端末から受信した場合に、前記認識データと前記携帯端末の位置情報とを取得する端末情報取得部と、所定の条件が満たされた場合に送信された１または複数の車両それぞれの識別データおよび位置情報を取得する車両情報取得部と、前記認識データに応じた前記識別データを検索し、前記識別データに対応する前記車両の位置情報と前記携帯端末の位置情報とを照合して第１の照合結果を得る照合部と、前記第１の照合結果の前記携帯端末への送信を制御する送信制御部と、を備える情報処理装置として機能させるためのプログラムが提供される。
【発明の効果】
【００１３】
以上説明したように本発明によれば、車両によって移動される対象物が正当であるか否かをより精度よく判断することが可能となる。
【図面の簡単な説明】
【００１４】
【図１】本発明の実施形態に係る情報処理システムの構成例を示した説明図である。
【図２】車両外観から小型移動店舗が正当であるか否かを判断する動作の例を示すシーケンス図である。
【図３】車両外観からだけでは小型移動店舗が正当であるか否かが判断されなかった場合に実行される動作の例を示すシーケンス図である。
【図４】同実施形態に係る情報処理装置のハードウェア構成を示す図である。
【発明を実施するための形態】
【００１５】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１６】
また、本明細書および図面において、実質的に同一または類似の機能構成を有する複数の構成要素を、同一の符号の後に異なる数字を付して区別する。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００１７】
（０．背景）
まず、本発明の実施形態の背景について説明する。近年、対象物が正当であるか否かを判断する手法として、様々な手法が開示されている。例えば、携帯端末の位置情報とあらかじめ登録された位置情報とに基づいて、個人または物品の存在を認証する技術が開示されている。
【００１８】
また、ナンバープレートを含む車両を撮像し、撮像された画像から認識されたナンバーに基づいて、あらかじめ登録された車両の特徴を抽出し、抽出した車両の特徴と撮像された車両の特徴とが相違する場合に、警告を出力する技術が開示されている。
【００１９】
一方、車両によって移動される対象物が存在する。本明細書においては、車両によって移動される対象物の例として、小型移動店舗を主に想定する。しかし、車両によって移動される対象物は、小型移動店舗に限定されない。また、本明細書においては、小型移動店舗の例として、自動取引装置を主に想定する。しかし、小型移動店舗は、自動取引装置に限定されない。小型移動店舗のサイズも車両によって移動されるサイズであれば、特に限定されない。
【００２０】
このとき、例えば、悪意ある者がナンバープレートを偽造して、正当な車両と同じ車種の車両にそのナンバープレートを取り付けた場合、車両によって移動される小型移動店舗の正当性の判断は一般的に困難である。そこで、本明細書においては、車両によって移動される小型移動店舗が正当であるか否かをより精度よく判断することが可能な技術について主に説明する。
【００２１】
以上、本発明の実施形態の背景について説明した。
【００２２】
（１．実施形態の詳細）
まず、本発明の実施形態の詳細について説明する。
【００２３】
（１−１．情報処理システムの構成）
図１を参照しながら、本発明の実施形態に係る情報処理システム１の構成例について説明する。図１は、本発明の実施形態に係る情報処理システム１の構成例を示した説明図である。図１に示したように、情報処理システム１は、車両２１によって移動されるＧＰＳ（Ｇｌｏｂａｌ  Ｐｏｓｉｔｉｏｎｉｎｇ  Ｓｙｓｔｅｍ）端末２２と、車両２１によって移動される端末２３とを備える。ＧＰＳ端末２２および端末２３は、無線によってキャリア回線４１に接続されている。
【００２４】
ＧＰＳ端末２２は、ＧＰＳセンサを備えており、ＧＰＳセンサによってＧＰＳ衛星から受信される信号に基づいて、ＧＰＳ端末２２の位置情報を取得する。ＧＰＳ端末２２は、車両２１によって移動されるため、ＧＰＳ端末２２の位置情報は、車両２１の位置情報として扱われ得る。なお、本明細書においては、車両２１の位置情報がＧＰＳ衛星から受信される信号に基づいて取得される例を主に説明する。しかし、車両２１の位置情報は、他の手法によって取得されてもよい。車両２１、ＧＰＳ端末２２および端末２３は、小型移動店舗として機能し得る。
【００２５】
なお、本明細書においては、説明を簡単にするため、情報処理システム１が、１台の小型移動店舗を有する場合を主に説明する。しかし、情報処理システム１は、複数の小型移動店舗を有していてよい。かかる場合、複数の小型移動店舗は、以下において説明する１台の小型移動店舗と同様の機能を有していてよい。
【００２６】
端末２３は、ユーザ５０によって利用される自動取引装置である。自動取引装置の種類は特に限定されない。例えば、自動取引装置は、ＡＴＭ（ａｕｔｏｍａｔｅｄ／ａｕｔｏｍａｔｉｃ  ｔｅｌｌｅｒ  ｍａｃｈｉｎｅ）であってもよいし、自動発券装置であってもよいし、他の自動取引装置であってもよい。
【００２７】
また、情報処理システム１は、ユーザ５０によって携帯されるスマートフォン３０を有している。スマートフォン３０は、無線によってキャリア回線４２に接続されている。また、スマートフォン３０は、イメージセンサを有している。また、スマートフォン３０には、金融機関が公開する専用アプリケーションがインストールされている。スマートフォン３０は、専用アプリケーションが提供する機能によって、イメージセンサによって車両２１のナンバープレートが撮像された場合、撮像によって得られた画像からナンバープレートに記述されている文字（以下、「ナンバープレート情報」とも言う。）を認識データとして認識する。ナンバープレート情報の認識には、ＯＣＲ（Ｏｐｔｉｃａｌ  Ｃｈａｒａｃｔｅｒ  Ｒｅｃｏｇｎｉｔｉｏｎ）が利用され得る。
【００２８】
また、スマートフォン３０は、自身の位置情報を検出する。例えば、スマートフォン３０は、ＧＰＳセンサを備えており、ＧＰＳセンサによってＧＰＳ衛星から受信される信号に基づいて、スマートフォン３０の位置情報を取得する。スマートフォン３０は、ユーザ５０によって携帯されるため、スマートフォン３０の位置情報は、ユーザ５０の位置情報として扱われ得る。なお、本明細書においては、スマートフォン３０の位置情報がＧＰＳ衛星から受信される信号に基づいて取得される例を主に説明する。しかし、スマートフォン３０の位置情報は、他の手法によって取得されてもよい。
【００２９】
また、本明細書においては、ユーザ５０によって携帯される端末の例としてスマートフォン３０が用いられる場合を主に説明する。しかし、ユーザ５０によって携帯される端末は、スマートフォン３０でなくてもよい。例えば、ユーザ５０によって携帯される端末は、タブレット端末であってもよいし、携帯電話であってもよいし、他の携帯端末であってもよい。
【００３０】
また、情報処理システム１は、金融システムセンタ１０を有している。金融システムセンタ１０は、情報管理サーバ１１、照合サーバ１２、受信サーバ１３、スマートフォン応答サーバ１４、配信サーバ１５およびパスワード生成サーバ１６を有している。受信サーバ１３および配信サーバ１５は、キャリア回線４１に接続されている。また、スマートフォン応答サーバ１４は、キャリア回線４２に接続されている。本明細書においては、これらのサーバが異なる筐体内に存在する場合を主に説明する。しかし、これらのサーバは、同一の筐体内に存在してもよい。あるいは、パスワード生成サーバ１６以外の複数のサーバが、同一の筐体内に存在してもよい。
【００３１】
（１−２．車両外観から小型移動店舗の正当性を判断）
まず、車両外観から小型移動店舗が正当であるか否か（ユーザ５０が利用したい小型移動店舗であるか否か）を判断する場合を説明する。
【００３２】
図２は、車両外観から小型移動店舗が正当であるか否かを判断する動作の例を示すシーケンス図である。図２に示すように、情報管理サーバ１１は、識別データの例としてのＧＰＳ端末２２の識別情報（以下、「ＧＰＳ端末番号」とも言う。）と車両２１のナンバープレート情報とが対応付けられた対応情報をあらかじめ登録する（記憶装置に記憶させる）情報管理部として機能する（Ｓ１１）。そして、ＧＰＳ端末２２は、所定の条件が満たされた場合、小型移動店舗のＧＰＳ端末２２によって取得されたＧＰＳ端末の位置情報とＧＰＳ端末番号とが受信サーバ１３に送信される（Ｓ１２）。
【００３３】
なお、本明細書においては、ＧＰＳ端末の位置情報とＧＰＳ端末番号とが定期的に受信サーバ１３に送信される場合を主に説明する。しかし、ＧＰＳ端末の位置情報とＧＰＳ端末番号とは、所定の送信操作に基づいて受信サーバ１３に送信されてもよい。例えば、車両２１に乗車している係員が所定の送信操作（例えば、ＧＰＳ端末２２に備えられたボタンの押下操作など）を行った場合に、ＧＰＳ端末２２からＧＰＳ端末の位置情報とＧＰＳ端末番号とが受信サーバ１３に送信されてもよい。
【００３４】
受信サーバ１３は、ＧＰＳ端末２２から送信されたＧＰＳ端末の位置情報とＧＰＳ端末番号とを受信する（取得する）車両情報取得部として機能する。受信サーバ１３は、ＧＰＳ端末の位置情報とＧＰＳ端末番号とを対応付け、ＧＰＳ端末の位置情報とＧＰＳ端末番号とが対応付けられてなる車両情報を情報管理サーバ１１に送信する（Ｓ１３）。情報管理サーバ１１は、ＧＰＳ端末の位置情報とＧＰＳ端末番号とが対応付けられてなる車両情報を受信すると、車両情報を登録する（記憶装置に記憶させる）。
【００３５】
ユーザ５０は、利用したい小型移動店舗を見つけた場合、スマートフォン３０によって小型移動店舗（車両２１）のナンバープレートを撮像する（Ｓ１４）。車両２１は、走行していてもよいし、一時停止していてもよい。スマートフォン３０は、専用アプリケーションによって、撮像された画像からナンバープレートに記述されたナンバープレート情報を認識する。また、スマートフォン３０においては、スマートフォン３０の位置情報が取得される。そこで、スマートフォン３０は、認識したナンバープレート情報とスマートフォン３０の位置情報とをスマートフォン応答サーバ１４に送信する（Ｓ１５）。
【００３６】
スマートフォン応答サーバ１４は、スマートフォン３０によって認識されたナンバープレート情報とスマートフォン３０の位置情報とを受信する（取得する）端末情報取得部として機能する。スマートフォン応答サーバ１４は、スマートフォン３０から受信したデータを照合サーバ１２に送信する（Ｓ１６）。照合サーバ１２は、スマートフォン３０によって認識されたナンバープレート情報をキーとしたデータ照会のため（Ｓ１７）、スマートフォン３０から受信したデータのうち、スマートフォン３０によって認識されたナンバープレート情報を情報管理サーバ１１に送信する。
【００３７】
情報管理サーバ１１は、スマートフォン３０によって認識されたナンバープレート情報に応じたＧＰＳ端末番号を検索する。例えば、情報管理サーバ１１は、車両ごとにナンバープレート情報と識別データとがあらかじめ対応付けられた対応情報に基づいて、スマートフォン３０によって認識されたナンバープレート情報に応じたＧＰＳ端末番号を検索する。より具体的には、情報管理サーバ１１は、スマートフォン３０によって認識されたナンバープレート情報に対応付けられたＧＰＳ端末番号を、対応情報から取得する。
【００３８】
さらに、情報管理サーバ１１は、受信サーバ１３から受信したＧＰＳ端末の位置情報とＧＰＳ端末番号とが対応付けられてなる車両情報に基づいて、情報管理サーバ１１によって取得されたＧＰＳ端末番号に対応するＧＰＳ端末の位置情報を取得する。情報管理サーバ１１によって取得されたＧＰＳ端末の位置情報は、照合サーバ１２に送信される。なお、ＧＰＳ端末２２から定期的にＧＰＳ端末の位置情報とＧＰＳ端末番号とが送信される場合には、ＧＰＳ端末の最新の位置情報（最後に受信したＧＰＳ端末の位置情報）を照合に利用してよい。
【００３９】
照合サーバ１２は、情報管理サーバ１１から受信したＧＰＳ端末の位置情報とスマートフォン応答サーバ１４から受信したスマートフォン３０の位置情報とを照合して第１の照合結果を得る照合部として機能する（Ｓ１８）。例えば、照合サーバ１２は、ＧＰＳ端末の位置情報とスマートフォン３０の位置情報との差分を算出し、算出した差分が所定の閾値を超えるか否かに基づいて第１の照合結果を得てよい。より具体的には、照合サーバ１２は、算出した差分が所定の閾値以下である場合には、照合成功を示す第１の照合結果を取得し、算出した差分が所定の閾値を超える場合には、照合失敗を示す第１の照合結果を取得すればよい。第１の照合結果は、照合サーバ１２によってスマートフォン応答サーバ１４に送信される（Ｓ１９）。
【００４０】
スマートフォン応答サーバ１４は、第１の照合結果のスマートフォン３０への送信を制御する送信制御部としても機能する。スマートフォン応答サーバ１４は、かかる制御に基づいて、第１の照合結果をスマートフォン３０に送信する（Ｓ２０）。スマートフォン３０は、第１の照合結果を受信すると、第１の照合結果を出力する（Ｓ２１）。第１の照合結果の出力はどのようになされてもよい。例えば、第１の照合結果が照合成功を示す場合には、照合成功を示すメッセージがスマートフォン３０の表示装置に表示されてもよい。照合成功を示すメッセージは、「撮像された小型移動店舗は、お客様が取引を行いたい金融機関の小型移動店舗です」などであってよい。
【００４１】
一方、第１の照合結果が照合失敗を示す場合には、照合失敗を示すメッセージがスマートフォン３０の表示装置に表示されてもよい。照合失敗を示すメッセージは、「撮像された小型移動店舗は、お客様が取引を行いたい金融機関の小型移動店舗ではありません」などであってよい。あるいは、照合成功を示すメッセージおよび照合失敗を示すメッセージは、スマートフォン３０のスピーカによって音声出力されてもよい。
【００４２】
以上において、車両外観から小型移動店舗が正当であるか否か（ユーザ５０が利用したい小型移動店舗であるか否か）を判断する場合を説明した。かかる構成によれば、車両によって移動される小型移動店舗が正当であるか否かをより精度よく判断することが可能となる。
【００４３】
例えば、悪意ある者がナンバープレートを偽造して、正当な車両と同じ車種の車両にそのナンバープレートを取り付け、その車両を用いて小型移動店舗を営業している場合を想定する。かかる場合には、偽造のナンバープレートが取り付けられた車両のナンバープレートが撮像された場合であっても、正当な車両の位置情報と偽造のナンバープレートが取り付けられた車両の位置情報とが異なる。そのため、照合サーバ１２において偽造のナンバープレートが取り付けられた車両の位置情報とスマートフォン３０の位置情報との照合が失敗すると考えられる。
【００４４】
また、異なる金融機関が同じ車種の車両を用いて小型移動店舗を近隣で営業している場合を想定する。かかる場合には、ユーザが取引をしたい金融機関の車両と異なる金融機関の車両のナンバープレートが撮像された場合であっても、誤った金融機関の車両のナンバープレート情報が照合サーバ１２に送信される。そのため、誤った金融機関の車両のナンバープレート情報に対応するＧＰＳ端末番号の位置情報と照合サーバ１２においてスマートフォン３０の位置情報との照合が失敗すると考えられる。
【００４５】
以上においては、車両外観から小型移動店舗が正当であるか否か（ユーザ５０が利用したい小型移動店舗であるか否か）を判断する場合を説明した。しかし、車両外観からだけでは小型移動店舗が正当であるか否か（ユーザ５０が利用したい小型移動店舗であるか否か）が判断されない場合もあり得る。そこで、以下の説明においては、車両外観からだけでは小型移動店舗が正当であるか否か（ユーザ５０が利用したい小型移動店舗であるか否か）が判断されない場合について説明する。
【００４６】
例えば、車両外観からだけでは小型移動店舗が正当であるか否か（ユーザ５０が利用したい小型移動店舗であるか否か）が判断されない場合としては、スマートフォン３０によってナンバープレート情報が認識されない場合、または、ナンバープレート情報の認識精度が所定の基準値よりも低い場合が想定される。以下では、かかる場合がスマートフォン３０によって認識されたときに情報処理システム１によって実行される動作例を説明する。
【００４７】
なお、スマートフォン３０によってナンバープレート情報が認識されない場合、または、ナンバープレート情報の認識精度が所定の基準値よりも低い場合の例としては、スマートフォン３０によって撮像された画像の画質が悪い場合、スマートフォン３０による認識性能が低い場合、および、悪意ある者が偽造したナンバープレートの性能が本物のナンバープレートの性能よりも低い場合などが挙げられる。
【００４８】
（１−３．車両外観から小型移動店舗の正当性が判断されない場合）
図３は、車両外観からだけでは小型移動店舗が正当であるか否かが判断されなかった場合に実行される動作の例を示すシーケンス図である。図３に示すように、パスワード生成サーバ１６は、端末２３に関連する第１の情報（以下、「情報ａ」とも言う。）と情報ａに対応する第２の情報（以下、「情報ｂ」とも言う。）とをパスワードとして生成する情報生成部として機能する（Ｓ３１）。ここで生成されるパスワードは、複数の小型移動店舗に対して同一であってよい。パスワード生成サーバ１６は、パスワードを情報管理サーバ１１に送信する（Ｓ３２）。
【００４９】
ここで、パスワードは、分散管理される（Ｓ３３）。すなわち、情報管理サーバ１１は、情報ｂを端末２３の端末番号に関連付けて登録する（記憶装置に記憶させる）。一方、情報管理サーバ１１は、情報ａを配信サーバ１５に送信する（Ｓ３４）。配信サーバ１５は、情報ａの端末２３への送信を制御する（Ｓ３５）。情報ａは、配信サーバ１５によって端末２３に送信される。端末２３は、情報ａを受信すると、情報ａと自身の端末番号とに基づいてＱＲコードを生成する（Ｓ３６）。なお、端末２３において生成されるコードは、ＱＲコードに限定されず、１次元バーコード、他の２次元バーコードなどであってもよい。かかるＱＲコードは、端末２３の表示装置によって表示される。
【００５０】
例えば、スマートフォン３０は、ナンバープレート情報が認識されない場合、または、ナンバープレート情報の認識精度が所定の基準値よりも低い場合には、スマートフォン３０で端末２３の表示装置を撮像することを促すメッセージを表示する。ユーザ５０は、かかるメッセージに従って、スマートフォン３０を端末２３の表示装置にかざす。スマートフォン３０によってＱＲコードが読み取られると（Ｓ３７）、読み取り情報がスマートフォン応答サーバ１４に送信される（Ｓ３８）。
【００５１】
スマートフォン応答サーバ１４は、読み取り情報を受信すると、読み取り情報を照合サーバ１２に送信する（Ｓ３９）。照合サーバ１２は、読み取り情報を受信すると、読み取り情報から端末番号および情報ａを取り出し、端末番号をキーとした情報ｂの照会のため（Ｓ４０）、端末番号を情報管理サーバ１１に送信する。情報管理サーバ１１は、端末番号を受信すると、受信した端末番号に関連する情報ｂを取得し、情報ｂを照合サーバ１２に送信する（Ｓ４１）。
【００５２】
照合サーバ１２は、スマートフォン３０によって読み取られた情報ａが情報ｂに対応するか否かを照合することによって第２の照合結果を得る。情報ａと情報ｂとが対応するか否かは、所定のアルゴリズムに基づいて、照合サーバ１２によって判断され得る。第２の照合結果は、照合サーバ１２によってスマートフォン応答サーバ１４に送信される（Ｓ４３）。スマートフォン応答サーバ１４は、第２の照合結果のスマートフォン３０への送信を制御し、かかる制御に基づいて、第２の照合結果をスマートフォン３０に送信する（Ｓ４４）。
【００５３】
スマートフォン３０は、第２の照合結果を受信すると、第２の照合結果を出力する。第２の照合結果の出力はどのようになされてもよい。例えば、第２の照合結果が照合成功を示す場合には、第１の照合結果と同様に、照合成功を示すメッセージがスマートフォン３０によって出力されてもよい。一方、第２の照合結果が照合失敗を示す場合には、第２の照合結果と同様に、照合失敗を示すメッセージがスマートフォン３０によって出力されてもよい。
【００５４】
以上において、車両外観からだけでは小型移動店舗が正当であるか否かが判断されなかった場合に実行される動作について説明した。かかる構成によれば、車両外観からだけでは小型移動店舗が正当であるか否か（ユーザ５０が利用したい小型移動店舗であるか否か）が判断されない場合であっても、車両によって移動される小型移動店舗が正当であるか否かを判断することが可能となる。
【００５５】
（１−４．ハードウェア構成例）
上記した金融システムセンタ１０が有する各種のサーバ（情報管理サーバ１１、照合サーバ１２、受信サーバ１３、スマートフォン応答サーバ１４、配信サーバ１５およびパスワード生成サーバ１６）は、情報処理装置として機能し得る。
【００５６】
続いて、本発明の実施形態に係る情報処理装置のハードウェア構成について説明する。図４は、本発明の実施形態に係る情報処理装置のハードウェア構成を示す図である。情報処理装置９００は、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０２と、ＲＡＭ（Ｒａｎｄｏｍ  Ａｃｃｅｓｓ  Ｍｅｍｏｒｙ）９０３と、ホストバス９０４と、ブリッジ９０５と、外部バス９０６と、インタフェース９０７と、入力装置９０８と、出力装置９０９と、ストレージ装置９１０と、通信装置９１１と、を備える。
【００５７】
ＣＰＵ９０１は、演算処理装置および制御装置として機能し、各種プログラムに従って情報処理装置９００内の動作全般を制御する。また、ＣＰＵ９０１は、マイクロプロセッサであってもよい。ＲＯＭ９０２は、ＣＰＵ９０１が使用するプログラムや演算パラメータ等を記憶する。ＲＡＭ９０３は、ＣＰＵ９０１の実行において使用するプログラムや、その実行において適宜変化するパラメータ等を一時記憶する。これらはＣＰＵバス等から構成されるホストバス９０４により相互に接続されている。
【００５８】
ホストバス９０４は、ブリッジ９０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス９０６に接続されている。なお、必ずしもホストバス９０４、ブリッジ９０５および外部バス９０６を分離構成する必要はなく、１つのバスにこれらの機能を実装してもよい。
【００５９】
入力装置９０８は、マウス、キーボード、タッチパネル、ボタン、マイクロフォン、スイッチおよびレバー等ユーザが情報を入力するための入力手段と、ユーザによる入力に基づいて入力信号を生成し、ＣＰＵ９０１に出力する入力制御回路等から構成されている。情報処理装置９００を操作するユーザは、この入力装置９０８を操作することにより、情報処理装置９００に対して各種のデータを入力したり処理動作を指示したりすることができる。
【００６０】
出力装置９０９は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置、ランプ等の表示装置およびスピーカ等の音声出力装置を含む。
【００６１】
ストレージ装置９１０は、データ格納用の装置である。ストレージ装置９１０は、記憶媒体、記憶媒体にデータを記録する記録装置、記憶媒体からデータを読み出す読出し装置および記憶媒体に記録されたデータを削除する削除装置等を含んでもよい。ストレージ装置９１０は、例えば、ＨＤＤ（Ｈａｒｄ  Ｄｉｓｋ  Ｄｒｉｖｅ）で構成される。このストレージ装置９１０は、ハードディスクを駆動し、ＣＰＵ９０１が実行するプログラムや各種データを格納する。
【００６２】
通信装置９１１は、例えば、ネットワークに接続するための通信デバイス等で構成された通信インタフェースである。また、通信装置９１１は、無線通信または有線通信のどちらに対応してもよい。
【００６３】
以上において、本発明の実施形態の詳細について説明した。
【００６４】
（１−５．効果）
本発明の実施形態によれば、携帯端末によって撮像された画像から認識された認識データと携帯端末の位置情報とを取得する端末情報取得部と、所定の条件が満たされた場合に送信された１または複数の車両それぞれの識別データおよび位置情報を取得する車両情報取得部と、認識データに応じた識別データを検索する情報管理部と、識別データに対応する車両の位置情報と携帯端末の位置情報とを照合して第１の照合結果を得る照合部と、第１の照合結果の携帯端末への送信を制御する送信制御部と、を備える、情報処理装置が提供される。
【００６５】
かかる構成によれば、車両によって移動される小型移動店舗が正当であるか否かをより精度よく判断することが可能となる。
【００６６】
例えば、悪意ある者がナンバープレートを偽造して、正当な車両と同じ車種の車両にそのナンバープレートを取り付け、その車両を用いて小型移動店舗を営業している場合を想定する。かかる場合には、偽造のナンバープレートが取り付けられた車両のナンバープレートが撮像された場合であっても、正当な車両の位置情報と偽造のナンバープレートが取り付けられた車両の位置情報とが異なる。そのため、照合サーバ１２において偽造のナンバープレートが取り付けられた車両の位置情報とスマートフォン３０の位置情報との照合が失敗すると考えられる。
【００６７】
また、異なる金融機関が同じ車種の車両を用いて小型移動店舗を近隣で営業している場合を想定する。かかる場合には、ユーザが取引をしたい金融機関の車両と異なる金融機関の車両のナンバープレートが撮像された場合であっても、誤った金融機関の車両のナンバープレート情報が照合サーバ１２に送信される。そのため、誤った金融機関の車両のナンバープレート情報に対応するＧＰＳ端末番号の位置情報と照合サーバ１２においてスマートフォン３０の位置情報との照合が失敗すると考えられる。
【００６８】
また、情報処理装置は、自動取引装置に関連する第１の情報と第１の情報に対応する第２の情報を生成する情報生成部を備え、情報管理部は、第２の情報の記憶を制御し、送信制御部は、第１の情報の自動取引装置への送信を制御し、照合部は、携帯端末によって読み取られた情報が第２の情報に対応するか否かを照合して第２の照合結果を取得し、送信制御部は、第２の照合結果の携帯端末への送信を制御してもよい。
【００６９】
かかる構成によれば、車両外観からだけでは小型移動店舗が正当であるか否か（ユーザ５０が利用したい小型移動店舗であるか否か）が判断されない場合であっても、車両によって移動される小型移動店舗が正当であるか否かを判断することが可能となる。
【００７０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７１】
１      情報処理システム
１０    金融システムセンタ
１１    情報管理サーバ
１２    照合サーバ
１３    受信サーバ
１４    スマートフォン応答サーバ
１５    配信サーバ
１６    パスワード生成サーバ
２１    車両
２２    ＧＰＳ端末
２３    端末
３０    スマートフォン
【図１】
2018088126.tif 000003
【図２】
2018088126.tif 000004
【図３】
2018088126.tif 000005
【図４】
2018088126.tif 000006